(57)【要約】【課題】本発明は、動物用診療台の上に乗せて、小動物を安定姿勢に固定して簡単に動くことがなく、小動物の超音波検査・診断を行うのに適した小動物診断用テーブルを提供する。【解決手段】本発明の小動物診断用テーブルは、天板と、該天板の長辺側中央の一方に凹部が形成され、さらに前記天板の裏面の両側には前記天板に固定された長方形枠体と、該長方形枠体の短辺の両側から直立して前記天板に平行に沿って矩形枠体から構成された脚部とをそれぞれ形成した小動物診断用テーブル１を設けると共に、前記小動物診断用テーブル１の天板と同等の大きさで、長辺側中央の一方に凹部が形成され、さらに短辺の中心部の厚さを薄くし周辺部に至るにしたがって厚さを増した断面形状とした低反発マットから形成された超音波診断専用マット２を設け、前記超音波診断専用マット２の凹部を前記天板の凹部と一致させて前記小動物診断用テーブル１の天板上に載せたものである。【選択図】図１
2008136857.tif 000002
【特許請求の範囲】
【請求項１】
長方形の木製平板からなる天板と、該天板の長辺側中央の一方に少なくとも片手が嵌まり込む大きさの凹部が形成され、さらに前記天板の裏面の両側には、前記天板に固定された鋼管棒からなる天板の短辺に平行な長方形枠体と、該長方形枠体の短辺の両側から直立して前記天板に平行に沿って天板端部まで延びた鋼管棒からなるＬ字状の矩形枠体から構成された脚部とをそれぞれ形成した小動物診断用テーブルを設けると共に、前記小動物診断用テーブルの天板と同等の大きさで、長辺側中央の一方に少なくとも片手が嵌まり込む大きさの凹部が形成され、さらに短辺の中心部の厚さを薄くし周辺部に至るにしたがって厚さを増した断面形状とした低反発マットから形成された超音波診断専用マットを設け、前記超音波診断専用マットの凹部を前記天板の凹部と一致させて前記小動物診断用テーブルの天板上に載せたことを特徴とする小動物診断用テーブル。
【請求項２】
前記超音波診断専用マットは、表面を抗菌用レザーとした低反発マットから形成され、前記小動物診断用テーブルの天板の長手方向に１／２の大きさで、長辺側に平行に２個並べて中央を接続固定され、少なくとも一方の長辺外側に超音波診断専用マットに片手が嵌まり込む三角形状の凹部が形成され、さらに２個並べた中央部の厚さを薄くし周辺部に至るにしたがって厚さを増した三角形の先端を突き合わせた断面形状としたことを特徴とする請求項１記載の小動物診断用テーブル。
【請求項３】
前記超音波診断専用マットは、裏面の四隅に小動物診断用テーブルの天板を挟持することができる固定バンドを設けたことを特徴とする請求項１又は２記載の小動物診断用テーブル。
【発明の詳細な説明】
【技術分野】
【０００１】
本発明は、動物用診療台の上に乗せて、小動物の超音波検査・診断を行うのに適した小動物診断用テーブルに関する。
【背景技術】
【０００２】
従来、犬や猫などの小動物に対して超音波を当てて検査・診断を行うことが行われているが、ピストンとシリンダーにより上下動可能になっている診療台の上に小動物を載せて超音波検査・診断を行うには、正確な検査・診断ができないという欠点があった。
そこで、超音波を透過する材料で構成された略矩形の上板と、該上板の下部に前記上板に一体的に取付けられた折り畳み式の脚部とより成り、対向する長辺側の中央が内側に切り込まれて中央部の幅が狭くなっている動物用超音波診断テーブルが知られている（特許文献１を参照）。
しかし、前記動物用超音波診断テーブルの上に小動物を載せて超音波診断を行うには、小動物を固定するのが困難で、小動物が簡単に動いてしまい、正確な診断撮影ができないという欠点があった。
【特許文献１】実開平５−２４０１４号公報
【発明の開示】
【発明が解決しようとする課題】
【０００３】
本発明は、動物用診療台の上に乗せて、小動物を安定姿勢に固定して簡単に動くことがなく、小動物の超音波検査・診断を行うのに適した小動物診断用テーブルを提供することを目的とする。
【課題を解決するための手段】
【０００４】
本発明の小動物診断用テーブルは、長方形の木製平板からなる天板と、該天板の長辺側中央の一方に少なくとも片手が嵌まり込む大きさの凹部が形成され、さらに前記天板の裏面の両側には、前記天板に固定された鋼管棒からなる天板の短辺に平行な長方形枠体と、該長方形枠体の短辺の両側から直立して前記天板に平行に沿って天板端部まで延びた鋼管棒からなるＬ字状の矩形枠体から構成された脚部とをそれぞれ形成した小動物診断用テーブルを設けると共に、前記小動物診断用テーブルの天板と同等の大きさで、長辺側中央の一方に少なくとも片手が嵌まり込む大きさの凹部が形成され、さらに短辺の中心部の厚さを薄くし周辺部に至るにしたがって厚さを増した断面形状とした低反発マットから形成された超音波診断専用マットを設け、前記超音波診断専用マットの凹部を前記天板の凹部と一致させて前記小動物診断用テーブルの天板上に載せたものである。
前記超音波診断専用マットは、表面を抗菌用レザーとした低反発マットから形成され、前記小動物診断用テーブルの天板の長手方向に１／２の大きさで、長辺側に平行に２個並べて中央を接続固定され、少なくとも一方の長辺外側に超音波診断専用マットに片手が嵌まり込む三角形状の凹部が形成され、さらに２個並べた中央部の厚さを薄くし周辺部に至るにしたがって厚さを増した三角形の先端を突き合わせた断面形状としたものである。
さらに、超音波診断専用マットには、四隅の裏面に小動物診断用テーブルの天板を挟持することができる固定バンドを設けたものである。
【発明の効果】
【０００５】
本発明の小動物診断用テーブルは、超音波診断専用マットが短辺の中心部の厚さを薄くし周辺部に至るにしたがって厚さを増した断面形状となっているので、犬、猫等の小動物を安定姿勢で固定することができる効果がある。
本発明の小動物診断用テーブルは、小動物診断用テーブルの脚部が天板に平行に沿って天板端部まで延びた矩形枠体であるため、邪魔にならず且つ安定して置くことができる。
また、本発明の小動物診断用テーブルは、小動物診断用テーブルの脚部が天板に平行に沿って天板端部まで延びた矩形枠体であるため、例えば動物用診療台が小さい場合であっても前記矩形枠体内の幅であれば安定して載せることができる。
【発明を実施するための最良の形態】
【０００６】
本発明の小動物診断用テーブルの一実施例を添付図面に基づいて、以下に説明する。
図１の斜視図に示すように、動物用診療台Ｓの上に小動物診断用テーブル１が載せられ、該小動物診断用テーブル１の天板３上には超音波診断専用マット２が載せられている。
【０００７】
図２に示すように、前記小動物診断用テーブル１は、（ａ）平面図に示す長方形の木製平板からなる天板３と、該天板３の長辺外側の中央の一方に少なくとも片手が嵌まり込む矩形状の凹部４が形成され、さらに（ｃ）裏面図に示す前記天板３の裏面の両側には、前記天板３に固定された鋼管棒からなる天板３の短辺に平行な長方形枠体５と、該長方形枠体５の短辺側から直立して前記天板３に平行に沿って天板３端部まで延びた鋼管棒からなる矩形枠体６から構成された脚部７とをそれぞれ設ける。
したがって、（ｂ）正面図や（ｄ）右側面図に示すように、前記脚部７が前記天板３と平行となっており、前記小動物診断用テーブル１は安定姿勢で動物用診療台Ｓの上に載置することができる。
【０００８】
図３に示すように、前記超音波診断専用マット２は、表面を抗菌用レザーとした低反発マットから形成され、（ａ）平面図及び（ｂ）正面図に示すように、前記小動物診断用テーブル１の天板３と同等の大きさで、長辺外側の中央の一方に少なくとも片手が嵌まり込む湾曲状の凹部８が形成され、さらに（ｃ）右側面図に示すように、短辺の中心部９の厚さを薄くし周辺部１０に至るにしたがって厚さを増した断面形状とした。
また、（ａ）平面図及び（ｂ）正面図に示すように、短辺側の少なくとも一方にコの字状の取手を２個設けて前記超音波診断専用マット２の取扱いを便利にすると共に前記取手を利用して前記小動物診断用テーブル１に前記超音波診断専用マット２を固定することができる。
【０００９】
図４に示すように、前記超音波診断専用マット２’は、表面を抗菌用レザーとした低反発マットから形成され、（ａ）平面図に示すように、前記小動物診断用テーブル１の天板３の長手方向に１／２の大きさで、長辺側に平行に２個並べて中央をファスナーにより接続固定され、少なくとも一方の長辺外側に超音波診断専用マット２’に片手が嵌まり込む三角形状の凹部１１が形成され、さらに（ｂ）右側面図に示すように、２個並べた中央部１２の厚さを薄くし周辺部１３に至るにしたがって厚さを増した三角形状の先端を突き合わせた断面形状とした。
また、（ａ）平面図に示すように、裏面の四隅に固定バンド１４をそれぞれ設けて前記超音波診断専用マット２の取扱いを便利にすると共に前記固定バンド１４を利用して前記小動物診断用テーブル１に前記超音波診断専用マット２を固定することができる。
【００１０】
次に、本発明の小動物診断用テーブルの使用操作を添付図面に基づいて、以下に説明する。
図１に示すように、動物用診療台Ｓの上に小動物診断用テーブル１を載せ、さらに前記超音波診断専用マット２の凹部８を前記天板３の凹部４と一致させて該小動物診断用テーブル１の天板３上に超音波診断専用マット２を載せる。
次いで、前記超音波診断専用マット２の上に、犬、猫等の小動物が検査者に対して横向きに、例えば頭を右側、足を左側に向けて凹部８に胸部が位置するように横這いにして載せ、前記凹部８に超音波グローブを挿入して超音波検査するが、前記超音波診断専用マット２は短辺の中心部９の厚さを薄くし周辺部１０に至るにしたがって厚さを増した断面形状となっているので、犬、猫等の小動物を安定姿勢で検査することができる。
また、犬、猫等の小動物が反対向き姿勢、頭を左側、足を右側の検査者に対して横向きでも、同様の状態で胸部の超音波診断を行うことができるし、さらに腹部の仰向けの姿勢の検査の際にも、短辺の中心部９の厚さを薄くし周辺部１０に至るにしたがって厚さを増した断面形状となっているので、犬、猫等の小動物を安定姿勢で検査することができる。
前記超音波診断専用マット２は、低反発マットから形成されているので犬、猫等の小動物に対するフィット感があり、また前記超音波診断専用マット２の表面を抗菌用レザーで形成しているので、細菌による感染の恐れがない。
【００１１】
このような超音波検査・診断は、それ程頻繁に行われるものではないので、小動物診断用テーブル１は通常使用しないことが多いため、部屋の隅へ立て掛けて置くが、小動物診断用テーブル１は程よい重さと軽さを有しているので取り扱いが便利であり、また小動物診断用テーブル１の脚部７が天板３に平行に沿って天板３端部まで延びた矩形枠体６であるため、場所を取らずに自立でき、保管の際に邪魔にならず且つ安定して保管することができる。
前記超音波診断専用マット２は短辺側の少なくとも一方にコの字状の取手を２個設けているので、収納時に前記取手を利用して前記小動物診断用テーブル１に前記超音波診断専用マット２を一緒に収納することができる。
また、前記超音波診断専用マット２’は裏面の四隅に固定バンド１４をそれぞれ設けて前記超音波診断専用マット２の取扱いを便利にすると共に前記固定バンド１４を利用して前記小動物診断用テーブル１に前記超音波診断専用マット２を固定することができる。
さらに、小動物診断用テーブル１の脚部７が天板３に平行に沿って天板３端部まで延びた矩形枠体６であるため、例えば動物用診療台Ｓが大きい場合であっても又は小さい場合であっても、前記矩形枠体６内の幅であれば動物用診療台Ｓに安定して載せることができる。
【図面の簡単な説明】
【００１２】
【図１】本発明の小動物診断用テーブルの使用状態を示す斜視図である。
【図２】本発明の小動物診断用テーブルの説明図であって、（ａ）平面図、（ｂ）正面図、（ｃ）裏面図、（ｄ）右側面図である。
【図３】本発明の超音波診断専用マットの説明図であって、（ａ）平面図、（ｂ）正面図、（ｃ）右側面図である。
【図４】本発明の超音波診断専用マットの他の実施例の説明図であって、（ａ）平面図、（ｂ）右側面図である。
【符号の説明】
【００１３】
１  小動物診断用テーブル
２  超音波診断専用マット
２’超音波診断専用マット
３  天板
４  凹部
５  長方形枠
６  矩形枠体
７  脚部
８  凹部
９  中心部
１０  周辺部
１１  凹部
１２  中心部
１３  周辺部
１４  固定バンド
【図１】
2008136857.tif 000003
【図２】
2008136857.tif 000004
【図３】
2008136857.tif 000005
【図４】
2008136857.tif 000006